(57)【要約】【課題】ヘアードライヤー使用時に、片手がふさがったままで髪の毛を乾かす又はスタイリングする作業にともなう不自由さと不合理な動作からヘアードライヤーを使いやすくさらにスタイリッシュな髪型に仕上がるようにする。【解決手段】ヘアードライヤー使用時に両手をフリーに且つ簡単に位置変更可能にしたシステムを設けたドライヤーホルダーはワンタッチで方向や角度調整をも可能にした。又、消費者が買い求め安いよう製造コストが掛からない合理的な設計に設けた。【選択図】図１
2005323621.tif 000002
【特許請求の範囲】
【請求項１】
コイルバネをくぐらせた中心軸で重なり合う、対になった顎型状クリップ、前記中心軸を支える前記クリップの下部から伸びるそれぞれ幅や形の多少違う突き抜け穴が開いている突起物は、前記クリップが幅の違うヘアードライヤーノズルをはさんだ時に、前記ヘアードライヤーノズル円周の形に合うように調整するシステムを持つ先端部、前記先端部をつなぐ前後の動きと回転可能な接続物を挟んだ先には長さの調整できるテレスコープ軸部分と角度調整のできるフレキシブルチューブ部分とからなる中心部、及びワンタッチで引っ掛け抑えることのできる後部でなっている。
【請求項２】
対になったクリップ後ろの方がやや広く開くように、請求項１の突起物が交互にぶつからないようにカーブし、中心軸を支える穴も横幅に広く設けた。
【請求項３】
請求項１のクリップシステムを３６０°回転させる為、一枚のクリップの下部が接続された接続物のシャフト部分がテレスコープ軸内でローテーションピンの仕掛けを設けベアリング状に回転する。
【発明の詳細な説明】
【０００１】
【発明の属する技術分野】
本発明は、一般家庭用、或いはビューティーサロンなどで使われるヘアードライヤー使用時の簡素化と能率化を高めるヘアードライヤーサポートに関する。
【０００２】
【従来の技術】
従来の家庭用、或いはビューティーサロンで使われるヘアードライヤーは片手が常にふさがれた状態で髪を乾かす又は、スタイリングする。
そのため乾かすときは利き手が届く範囲内での作業、スタイリングするときは作業が常に一時ドライヤーのスイッチを切り作業台に置き、ブラシで髪の毛をブラシに巻き付け、ドライヤーを持ち直すような動作を繰り返す。また、ブラシ付のドライヤー使用時は直接髪に巻きつきながら温風を間近で当てるので髪の毛が枝毛になる可能性が高い。これらの不便さを解決するために発明された従来のドライヤーホルダーは壁に完全固定するもの又は、スタンドタイプになったものがある。（例えば、特許文献１参照。）。しかし、これらは限られたモデルのドライヤーにしか耐用せず、またスタンドタイプの物は作業台などの場所をとり又、ヘアードライヤーの向きを変更する時に両手を使う不便さを伴う。
【０００３】
【特許文献１】
ＵＳ  ６１８９２２９
ＵＳ  ５８４２６７０
【０００４】
【発明が解決しようとする課題】
以上に述べた従来の片手をふさがれたままのヘアードライヤーでの髪の毛の乾燥やスタイリングは作業がはかどりにくく不完全な仕上がりとなりやすい。
【０００５】
【課題を解決するための手段】
本発明は上記目的を解決するためにクリップシステムでドライヤーがホルダーへ簡素に取り付けられ、ドライヤーの位置設定を前後左右に片手でスムーズに換えられ、完全に両手を自由にする構造を設けたもの、及びワンタッチで取り付け取り外し可能にしたものである。
【０００６】
【発明の実施の形態】
以下、本発明の実施の形態を図１〜図９に基づいて説明する。
【０００７】
図１〜図３において、クリップシステムはクリップ本体、Ａタイプ２０とＢタイプ２６、中心軸３４、コイルスプリング３６とからなる。  クリップＡタイプ２０、Ｂタイプ２６の下部２０ｂ、２６ｂには耳のような突起物２２、２８がついている。４箇所の突起物２２ａ、２２ｂ、２８ａ、２８ｂにはそれぞれ中央に穴２４ａ，２４ｂ，３２ａ，３２ｂが開いてあり中心軸３４とコイルスプリング３６はその穴２４ａ，２４ｂ，３２ａ，３２ｂにはめられる。その中心軸３４で対になったクリップ２０，２６はコイルスプリング３６の圧力でクリップＡタイプ２０と、Ｂタイプ２６を締めつけるように閉じる。ヘアードライヤー１０はこのクリップシステムによって保たれる。
【０００８】
図４〜図５で示すクリップ下部の動きは中心軸３４が重なり合った突起物２２ａ，２２ｂ，２８ａ，２８ｂにある穴２４ａ，２４ｂ，３２ａ，３２ｂの片側をスムーズに横にスライドして広がっていく。
【０００９】
クリップＢタイプ下部２６ｂは図３〜図４で示すように平らで下に伸びてこの部分の穴３０は接続物３８と合体する。
【００１０】
図６で示した中心部はテレスコープ軸内部５２，外部６２とフレキシブルチューブ部分６８とでなる。
【００１１】
接続物３８から伸びるシャフト４２は図７〜図８で示すようにテレスコープ軸内部５２の中に侵入させローテーションピン５４がシャフト４２の凸凹部分４４とテレスコープ軸内部５２の切り口５６に固定され抜け落ち防止と、接続物３８を３６０°回転可能な働きを設けている。
【００１２】
図９で示したベース７２は簡単に引っ掛けられ落ちないよう固定できるストッパー７０が設けてある。
【００１３】
【実施例】
本発明、固定されたドライヤーホルダーを使ってヘアードライヤーを使用すると両手が自由に髪の毛の乾燥やスタイリングの作業を行う。角度や方向を調整したい時などブラシやくしを持っている手を置かなくても片手で簡単に変えられ、作業が円滑に行われる。
【００１４】
【発明の効果】
本発明はヘアードライヤー使用者がそのドライヤーを持たずに両手で髪の毛の乾燥やスタイリングを行う。微妙に違った大きさを持つ幾つかのヘアードライヤーノズルでも簡単にこのドライヤーホルダーのクリップシステムにはめ込むことができるようになっている。又、ドライヤーホルダーが移動可能にできているのでヘアードライヤー使用者の都合の良い場所に設置可能。その他髪の毛とドライヤーの位置が一定の距離を保つので髪の毛の部分的な痛みを抑える効果もある。
【図面の簡単な説明】
【図１】本発明の実施形態を示すドライヤーホルダーの全体斜視図
【図２】本発明の部分的組み立て全体図
【図３】クリップシステム解体図
【図４】クリップ部分斜視図
【図５】クリップシステムＣ−Ｃ′断面図
【図６】中心部斜視図
【図７】接続部部分図
【図８】接続組み立てイメージ詳細図
【図９】下部部分図
【符号の説明】
１０  ヘアードライヤー
２０  クリップ  Ａタイプ；  ２０ａ  歯；  ２０ｂ  下部
２２  クリップＡタイプからでる突起物；  ２２ａ，２２ｂ
２４  突起物２２にある穴；  ２４ａ，２４ｂ
２６  クリップ  Ｂタイプ；  ２６ａ  歯；  ２６ｂ  下部
２８  クリップＢタイプからでる突起物；  ２８ａ，  ２８ｂ
３０  クリップＢタイプ下部にある穴
３２  突起物２８にある穴；  ３２ａ，３２ｂ
３４  中心軸
３６  コイルスプリング
３８  接続物
４２  シャフト
４４  凹凸部分
４８  接続ピン
５０  接続ピン受け穴
５２  テレスコープ軸内部
５４  ローテーションピン
５６  切り口
６２  テレスコープ軸外部
６８  フレキシブルチューブ
７０  ストッパー
７２  ベース
７４  ストッパーベース
【図１】
2005323621.tif 000003
【図２】
2005323621.tif 000004
【図３】
2005323621.tif 000005
【図４】
2005323621.tif 000006
【図５】
2005323621.tif 000007
【図６】
2005323621.tif 000008
【図７】
2005323621.tif 000009
【図８】
2005323621.tif 000010
【図９】
2005323621.tif 000011